(57)【要約】      （修正有）【課題】空気調和機の室外機において、冷媒配管の取付盤に対する接続ポートの取付作業を容易にする接続ポートの取付盤を提供する。【解決手段】取付盤は、複数の室内機を接続する空気調和機の室外機において、複数の室内機のそれぞれの冷媒連絡配管に対して接続される複数の接続ポートを取り付ける取付盤であって、取付部材と、規制部材とを備える。規制部材は、複数の挿通孔に取り付けられる複数の接続ポートのうちの２つ以上の接続ポートの板厚方向への移動を一括して規制する。【選択図】図４
2007271236.tif 000002
【特許請求の範囲】
【請求項１】
複数の室内機（３）を接続する空気調和機（１）の室外機（２）において、前記複数の室内機（３）のそれぞれの冷媒配管（１７ａ，１７ｂ）に対して接続される複数の冷媒配管接続ポート（２１，２２）を取り付ける取付盤（２５）であって、
前記複数の冷媒配管接続ポート（２１，２２）を取り付ける複数の挿通孔（３１ａ，３２ａ）が板厚方向に貫通して形成された取付部材（２６）と、
前記複数の挿通孔（３１ａ，３２ａ）に取り付けられる前記複数の冷媒配管接続ポート（２１，２２）のうちの２つ以上の冷媒配管接続ポートの前記板厚方向への移動を一括して規制する規制部材（２７）と、
を備える取付盤（２５）。
【請求項２】
前記規制部材（２７）には、前記冷媒配管接続ポート（２１，２２）の外周に設けられた環状溝（２１ｃ，２２ｃ）に嵌り込む切り欠き部（４０，４５，４６）が形成されている、
請求項１に記載の取付盤（２５）。
【請求項３】
前記規制部材（２７）は、
前記取付部材（２６）と対向して配置されるとともに前記切り欠き部（４０，４５，４６）が形成される規制面（４１，４７，４８）と、
前記規制面（４１，４７，４８）と略直交して前記取付部材（２６）とは反対側に延びる直交面（４２，４９，５０）と、
を有する、
請求項２に記載の取付盤（２５）。
【請求項４】
前記取付部材（２６）は、
前記複数の冷媒配管接続ポート（２１，２２）のうち複数のガス管接続ポート（２１）を取り付ける複数の第１挿通孔（３１ａ）が板厚方向に貫通して形成された板状の第１取付部（３１）と、
前記第１取付部（３１）とは段違いに設けられ、前記複数の冷媒配管接続ポート（２１，２２）のうち複数の液管接続ポート（２２）を取り付ける複数の第２挿通孔（３２ａ）が板厚方向に貫通して形成された板状の第２取付部（３２）と、
前記第１取付部（３１）と前記第２取付部（３２）とを階段状に接続する段差部（３３）と、
を有し、
前記規制部材（２７）は、
前記複数のガス管接続ポート（２１）のうちの少なくとも２つ以上のガス管接続ポートの前記第１取付部（３１）の板厚方向への移動を一括して規制する第１規制部材（３５）と、
前記複数の液管接続ポート（２２）のうちの少なくとも２つ以上の液管接続ポートの前記第２取付部（３２）の板厚方向への移動を一括して規制する第２規制部材（３６）と、
を有する、
請求項１〜３のいずれか１項に記載の取付盤（２５）。
【請求項５】
熱交換機（１３）と、
前記熱交換機（１３）の一端から分岐する複数のガス管に連結された複数のガス管接続ポート（２１）と、
前記熱交換機（１３）の他端から分岐する複数の液管に連結された複数の液管接続ポート（２２）と、
前記複数のガス管接続ポート（２１）と前記複数の液管接続ポート（２２）とからなる複数の冷媒配管接続ポート（２１，２２）が取り付けられる、請求項１〜４のいずれか１項に記載の取付盤（２５）と、
を備える空気調和機（１）の室外機（２）。
【発明の詳細な説明】
【技術分野】
【０００１】
本発明は、取付盤および空気調和機の室外機、特に、冷媒配管接続ポートを取り付ける取付盤およびその取付盤を備える空気調和機の室外機に関する。
【背景技術】
【０００２】
近年の高気密、高断熱性能の住宅の普及などにより、複数の室内機を接続できるマルチ型の室外機が注目されている。このようなマルチ型の室外機においては、コンパクト性を維持しつつも、より多くの室内機を接続することが求められている。また、それぞれの室内機の冷媒配管（液側配管およびガス側配管）と室外機との接続作業を容易にすることも求められている。
【０００３】
従来では、複数の室内機から延びる冷媒配管は、取付盤に取り付けられた室外機の接続ポートに接続される。接続ポートは、平面状の取付盤において正格子状に位置する取付位置に取り付けられている（例えば、特許文献１参照）。
【特許文献１】特開平９−２８７７７６号公報
【発明の開示】
【発明が解決しようとする課題】
【０００４】
しかし、従来では、取付盤に対して複数の接続ポートを調整しつつ取り付ける取付作業が煩雑であって、作業性が悪い。ましてや、より多くの台数の室内機を室外機に接続する場合、接続ポートの本数も増えるため、取付作業を容易にすることが求められる。
そこで本発明は、取付盤に対する接続ポートの取付作業を容易にする接続ポートの取付盤およびその取付盤を備える室外機を提供することを課題とする。
【課題を解決するための手段】
【０００５】
第１の発明としての取付盤は、複数の室内機を接続する空気調和機の室外機において、複数の室内機のそれぞれの冷媒配管に対して接続される複数の冷媒配管接続ポートを取り付ける取付盤であって、取付部材と、規制部材とを備えている。取付部材は、複数の冷媒配管接続ポートを取り付ける複数の挿通孔が板厚方向に貫通して形成された部材である。規制部材は、複数の挿通孔に取り付けられる複数の冷媒配管接続ポートのうちの２つ以上の冷媒配管接続ポートの板厚方向への移動を一括して規制する。
【０００６】
冷媒配管接続ポートは、取付部材に設けられた挿通孔に対して挿通される。規制部材は、２つ以上の冷媒配管接続ポートの板厚方向への移動を一括して規制する。このため、冷媒配管接続ポート毎にこのような規制部材を設けることなく、２つ以上の冷媒配管接続ポートの板厚方向位置の調整などを同時に行うことが可能となり、部品点数を削減できるとともに、作業工数を削減でき、冷媒配管接続ポートの取付作業が容易となる。
よって、本発明により、取付盤に対する接続ポートの取付作業を容易にする接続ポートの取付盤を提供することが可能となる。
【０００７】
第２の発明としての取付盤では、規制部材には、冷媒配管接続ポートの外周に設けられた環状溝に嵌り込む切り欠き部が形成されている。
規制部材には、冷媒配管接続ポートの環状溝に嵌り込む切り欠き部が形成されており、規制部材は、冷媒配管接続ポートの板厚方向への移動を規制する。このような切り欠き部により冷媒配管接続ポートを支持することもできるため、例えば、予め２つ以上の冷媒配管接続ポートを規制部材に対して位置決めした後、冷媒配管接続ポートおよび規制部材を取付部材に対して一括して取り付けることなども可能となる。
【０００８】
第３の発明としての取付盤では、規制部材は、取付部材と対向して配置されるとともに切り欠き部が形成される規制面と、規制面と略直交して取付部材とは反対側に延びる直交面とを有する。
規制部材は、断面Ｌ字形状に形成されているため、例えば、平面状の規制部材に比して、規制部材の扱いが容易になる。
【０００９】
第４の発明としての取付盤では、取付部材は、第１取付部と、第２取付部と、段差部とを有し、規制部材は、第１規制部材と、第２規制部材とを有する。第１取付部は、複数の冷媒配管接続ポートのうち複数のガス管接続ポートを取り付ける複数の第１挿通孔が板厚方向に貫通して形成された板状の部材である。第２取付部は、第１取付部とは段違いに設けられ、複数の冷媒配管接続ポートのうち複数の液管接続ポートを取り付ける複数の第２挿通孔が板厚方向に貫通して形成された板状の部材である。段差部は、第１取付部と第２取付部とを階段状に接続する。第１規制部材は、複数のガス管接続ポートのうちの少なくとも２つ以上のガス管接続ポートの第１取付部の板厚方向への移動を一括して規制する。第２規制部材は、複数の液管接続ポートのうちの少なくとも２つ以上の液管接続ポートの第２取付部の板厚方向への移動を一括して規制する。
【００１０】
取付部材では、複数のガス管接続ポートを取り付ける第１取付部と複数の液管接続ポートを取り付ける第２取付部とが段差部を挟む別平面として形成されている。また、規制部材は、複数のガス管接続ポートの板厚方向への移動を一括して規制する第１規制部材と、複数の液管接続ポートの板厚方向への移動を一括して規制する第２規制部材とを有する。
取付盤では、第１取付部と第２取付部とが別平面として形成されているため、ガス管接続ポートまたは液管接続ポートの一方に対して室内機の冷媒配管を接続する接続作業時に、他方の冷媒配管接続ポートが邪魔になることが無く、冷媒配管の接続作業が容易となる。
【００１１】
第５の発明としての空気調和機の室外機は、熱交換機と、複数のガス管接続ポートと、複数の液管接続ポートと、第１〜第４の発明のいずれかとしての取付盤とを備えている。複数のガス管接続ポートは、熱交換機の一端から分岐する複数のガス管に連結されている。複数の液管接続ポートは、熱交換機の他端から分岐する複数の液管に連結されている。取付盤には、複数のガス管接続ポートと複数の液管接続ポートとからなる複数の冷媒配管接続ポートが取り付けられる。
【００１２】
本発明の空気調和機の室外機では、第１〜第４の発明のいずれかとしての取付盤を備えるため、上記と同様の効果を得ることが可能となる。すなわち、取付盤に対する接続ポートの取付作業を容易にする接続ポートの取付盤を備える室外機を提供することが可能となる。
【発明の効果】
【００１３】
本発明により、取付盤に対する接続ポートの取付作業を容易にする接続ポートの取付盤およびその取付盤を備える室外機を提供することが可能となる。
【発明を実施するための最良の形態】
【００１４】
＜空気調和装置の構成＞
図１に、本発明の一実施形態に係る室外機を含む空気調和装置の冷媒回路を示す。
空気調和装置１は、マルチタイプの空気調和装置であって、１つの室外機２に対して複数の室内機３が並列に接続される構成となっている。なお、以下の説明では、一例として、５台の室内機３が接続される構成について説明を行う。空気調和装置１の冷媒回路１０は、主として、圧縮機１１、四路切換弁１２、室外熱交換器１３、室外膨張弁１４、室内熱交換器１６が順に接続されたものであり、蒸気圧縮式の冷凍サイクルとなっている。圧縮機１１、四路切換弁１２、室外熱交換器１３および室外膨張弁１４は室外機２に含まれており、室内熱交換器１６は室内機３に含まれている。
【００１５】
室外機２と室内機３との間は、ガス側冷媒連絡配管１７ａおよび液側冷媒連絡配管１７ｂにより接続されている。ガス側冷媒連絡配管１７ａは、室外熱交換器１３の一端側に接続される四路切換弁１２とそれぞれの室内熱交換器１６とを接続し、液側冷媒連絡配管１７ｂは、室外熱交換器１３の他端側とそれぞれの室内熱交換器１６とを接続する。
室外機２の内部冷媒回路１０ａには、ガス側閉鎖弁１８と液側閉鎖弁１９とが設けられている。ガス側閉鎖弁１８は室外熱交換機１３の一端側から連続する四路切換弁１２側の内部冷媒回路１０ａ中に配置されており、液側閉鎖弁１９は室外熱交換機１３の他端側から連続する内部冷媒回路１０ａ中に配置されている。これらの閉鎖弁１８，１９は、室外機２や室内機３を設置する時には閉状態にされている。そして、閉鎖弁１８，１９は、室外機２および室内機３を現地に設置し、各冷媒連絡配管１７ａ，１７ｂを内部冷媒回路１０ａに接続した後に開状態とされる。
【００１６】
室外機２の内部冷媒回路１０ａには、それぞれの閉鎖弁１８，１９の末端部側において、分岐２０ａ，２０ｂが形成されている。分岐２０ａ，２０ｂは、室外機２の内部冷媒回路１０ａの末端部を室外機２に接続可能な室内機３の台数分（図１では、５台分）だけ分岐する。分岐２０ａのさらに末端部側には、ガス側冷媒連絡配管１７ａを接続するための接続継手であるガス管接続ポート２１が設けられる。分岐２０ｂのさらに末端部側には、それぞれ室外膨張弁１４が設けられるとともに、液側冷媒連絡配管１７ｂを接続するための接続継手である液管接続ポート２２が設けられる。
【００１７】
なお、室外機２内には、ガス管接続ポート２１および液管接続ポート２２の近傍において設けられるサーミスタ、アキュムレータ、その他の付属機器も設けられているが、ここでは図示を省略している。
【００１８】
＜空気調和装置の動作＞
次に、この空気調和装置の運転動作について説明する。
まず、冷房運転時は、四路切換弁１２が図１において実線で示す状態に保持される。圧縮機１１から吐出された高温高圧のガス冷媒は、四路切換弁１２を介して室外熱交換器１３に流入し、室外空気と熱交換して凝縮・液化する。液化した冷媒は、室外膨張弁１４を通過し、液側冷媒連絡配管１７ｂを通って各室内機３に流入する。各室内機３において、冷媒は、室内熱交換器１６で室内空気と熱交換して蒸発する。そして、冷媒の蒸発によって冷却された室内空気は、図示しない室内ファンによって室内へと吹き出され、室内を冷房する。また、室内熱交換器１６で蒸発して気化した冷媒は、ガス側冷媒連絡配管１７ａを通って室外機２に戻り、圧縮機１１に吸入される。
【００１９】
一方、暖房運転時は、四路切換弁１２が図１において破線で示す状態に保持される。圧縮機１１から吐出された高温高圧のガス冷媒は、四路切換弁１２を介して各室内機３の室内熱交換器１６に流入し、室内空気と熱交換して凝縮・液化する。冷媒の凝縮によって加熱された室内空気は、室内ファンによって室内へと吹き出され、室内を暖房する。室内熱交換器１６において液化した冷媒は、液側冷媒連絡配管１７ｂを通って室外機２に戻る。室外機２に戻った冷媒は、室外膨張弁１４を通過し、室外熱交換器１３で室外空気と熱交換して蒸発する。そして、室外熱交換器１３で蒸発して気化した冷媒は、四路切換弁１２を介して圧縮機１１に吸入される。
【００２０】
＜室外機の構成＞
図２〜図５を用いて、室外機２、特に、各冷媒連絡配管１７ａ，１７ｂを接続する各接続ポート２１，２２および各接続ポート２１，２２を取り付ける取付盤２５の構造について説明する。
図２は、室外機２の背面側の外観を示す斜視図である。なお、以下の説明では、室外機２を背面側から視て左右に向かう方向Ｘを「室外機２の幅方向」、上下に向かう方向Ｙを「室外機２の高さ方向」、方向Ｘおよび方向Ｙに直交する方向Ｚを「奥行き方向」とし、Ｘ１を右方、Ｘ２を左方、Ｙ１を上方、Ｙ２を下方、Ｚ１を後方、Ｚ２を前方と定義する。
【００２１】
図２は、室外機２の左方を覆うケーシングの左側面板を取り外した状態を図示している。ケーシングの左側面板を取り外した状態では、図１を用いて説明した各接続ポート２１，２２、各閉鎖弁１８，１９、および各接続ポート２１，２２を取り付ける取付盤２５（取付部材２６および規制部材２７）などが露出する。空気調和装置１を設置する際には、ケーシングの左側面板を取り外した状態で各接続ポート２１，２２に対して各冷媒連絡配管１７ａ，１７ｂの接続が行われ、接続後に閉鎖弁１８，１９が開状態に操作される。また、各冷媒連絡配管１７ａ，１７ｂの接続後には、ケーシングの左側面板の取り付けが行われる。ケーシングの左側面板を取り付けた状態では、各接続ポート２１，２２および取付盤２５のみが後方に向けて露出する。これにより、室外機２と室内機３とが連結された状態では、各接続ポート２１，２２に接続される各冷媒連絡配管１７ａ，１７ｂを室外機２の後方から引き出すことが可能となっている。
【００２２】
（接続ポート）
図３を用いて、ガス管接続ポート２１および液管接続ポート２２について説明する。
図３（ａ）に示すガス管接続ポート２１は、室外機２の内部冷媒回路１０ａをガス側冷媒連絡配管１７ａと接続するための継手である。ガス管接続用ポート２１は、軸方向を室外機２の奥行き方向に略一致させて取り付けられる管状の部材であり、例えば、真鍮（黄銅）で構成される。ガス管接続ポート２１は、軸方向に垂直な断面が６角形である主軸部２１ａと、主軸部２１ａの一端側（後方）に設けられるネジ部２１ｂとから主に構成されている。
【００２３】
主軸部２１ａの他端側（前方）近傍には、主軸部２１ａの外周に沿って環状溝２１ｃが形成されている。環状溝２１ｃは、後述する取付盤２５の規制部材２７（図４参照）の板厚とほぼ同じ大きさの軸方向幅を有しており、規制部材２７がこの環状溝２１ｃに係合し、取付盤２５に対するガス管接続ポート２１の移動が規制され、位置決めが行われる。ネジ部２１ｂには、ガス側冷媒連絡配管１７ａの接続に際して、６角ナット状のフレアナット２３ａ（図２参照）が取り付けられる。
【００２４】
ガス管接続ポート２１は、ネジ部２１ｂを室外機２の後方に向けて取り付けられる。主軸部２１ａの前方端部は、室外機２の内部冷媒回路１０ａのガス側配管の末端部とロウ付け（金属と金属とをロウを使い熱で接合すること）により接合されている。なお、室外機２が備えるガス管接続ポート２１の全てが同じ径を有している必要はなく、それぞれのガス管接続ポート２１に対して接続される室内機３に応じて、径の異なるものが用いられてもよい。
【００２５】
図３（ｂ）に示す液管接続ポート２２は、室外機２の内部冷媒回路１０ａを液側冷媒連絡配管１７ｂと接続するための継手である。液管接続ポート２２は、ガス管接続ポート２１とほぼ同様の構成を有しているが、内部冷媒回路１０ａの液側配管は、ガス側配管に比して小径であるため、液管接続ポート２２は、ガス管接続ポート２１よりも小径に構成されている。
【００２６】
液管接続用ポート２２は、軸方向を室外機２の奥行き方向に略一致させて取り付けられる管状の部材であり、例えば、真鍮（黄銅）で構成される。液管接続ポート２２は、軸方向に垂直な断面が６角形である主軸部２２ａと、主軸部２２ａの一端側（後方）に設けられるネジ部２２ｂとから主に構成されている。
主軸部２２ａの他端側（前方）近傍には、主軸部２２ａの外周に沿って環状溝２２ｃが形成されている。環状溝２２ｃは、後述する取付盤２５の規制部材２７（図４参照）の板厚とほぼ同じ大きさの軸方向幅を有しており、規制部材２７がこの環状溝２２ｃに係合し、取付盤２５に対する液管接続ポート２２の移動が規制され、位置決めが行われる。ネジ部２２ｂには、液側冷媒連絡配管１７ｂの接続に際して、６角ナット状のフレアナット２３ｂ（図２参照）が取り付けられる。
【００２７】
液管接続ポート２２は、ネジ部２２ｂを室外機２の後方に向けて取り付けられる。主軸部２２ａの前方端部は、室外機２の内部冷媒回路１０ａの液側配管の末端部とロウ付け（金属と金属とをロウを使い熱で接合すること）により接合されている。なお、室外機２が備える液管接続ポート２２の全てが同じ径を有している必要はなく、それぞれの液管接続ポート２２に対して接続される室内機３に応じて、径の異なるものが用いられてもよい。
【００２８】
（取付盤）
図４を用いて取付盤２５について説明する。
取付盤２５は、室外機２において各接続ポート２１，２２を位置決めして取り付けるためのパネルである。取付盤２５は、主に、各接続ポート２１，２２を取り付ける取付部材２６と、取付部材２６に対して取り付けられた各接続ポート２１，２２に係合し、各接続ポート２１，２２の移動を規制する規制部材２７とから構成されている。なお、図４に示す取付盤２５では、図面の理解の容易のため、各接続ポート２１，２２は図示していない。
【００２９】
〔取付部材〕
取付部材２６は、板金加工により形成される部材であり、直方形板状の第１取付部３１と、第１取付部３１と短手方向を一致させて前方側に段違いに平行に設けられる長方形板状の第２取付部３２と、第１取付部３１と第２取付部３２とを階段状に接続する段差部３３とから主に構成される。
【００３０】
取付部材２６は、第１取付部３１および第２取付部３２の短手方向を室外機２の幅方向と一致させ、第１取付部３１および第２取付部３２の長手方向を室外機２の高さ方向と一致させ、第１取付部３１および第２取付部３２の板厚方向を室外機２の奥行き方向と一致させて、室外機２に取り付けられる。また、取付部材２６は、第１取付部３１が右方に位置するように取り付けられる。これにより、取付部材２６に取り付けられた各接続ポート２１，２２に対する各冷媒連絡配管１７ａ，１７ｂの接続作業に際して、室外機２の左方から取付部材２６にアクセスすると、第１取付部３１は、第２取付部３２の奥側に位置するとともに、後方に一段高く位置することになる。
【００３１】
第１取付部３１には、ガス管接続ポート２１が挿通される第１挿通孔３１ａが形成されている。第１挿通孔３１ａは、板厚方向に貫通する貫通孔であり、ガス管接続ポート２１の主軸部２１ａの外周と同じ６角形状に形成されている。また、第１挿通孔３１ａは、ガス管接続ポート２１の本数と同じ数だけ、高さ方向に等間隔に並んで形成されている。
第２取付部３２は、後方から視て、第１取付部３１の左方に隣接して配置されている。第２取付部３２には、液管接続ポート２２が挿通される第２挿通孔３２ａが形成されている。第２挿通孔３２ａは、板厚方向に貫通する貫通孔であり、液管接続ポート２２の主軸部２２ａの外周と同じ６角形状に形成されている。また、第２挿通孔３２ａは、液管接続ポート２２の本数と同じ数だけ、高さ方向に等間隔に並んで形成されている。
【００３２】
第１挿通孔３１ａと第２挿通孔３２ａとは、後方から視て千鳥状に配置されている。すなわち、それぞれの高さ方向位置が異なるように（幅方向に隣接しないように）配置されている。
段差部３３には、第２挿通孔３２ａの右方に隣接する位置に、第１取付部３１側（右方）に向けて凹む凹部３３ａが形成されている。言い換えれば、凹部３３ａは、高さ方向にそれぞれ離れて形成される第１挿通孔３１ａの中間位置の左方に隣り合う位置に形成されている。凹部３３ａは、第２挿通孔３２ａを中心として円弧状に湾曲する湾曲面により構成されている。これにより、段差部３３は、高さ方向に連続して形成されている。
なお、第１取付部３１の凹部３３ａに隣接する位置には、凹部３３ａに対応する形状の凹部３１ｂが形成されている。これにより、凹部３３ａの後方は開放されるとともに、凹部３３ａと第１取付部３１との間の開口が小さくなる。
【００３３】
〔規制部材〕
規制部材２７は、ガス管接続ポート２１の軸心方向（奥行き方向）の移動を規制する第１規制部材３５と、液管接続ポート２２の軸心方向（奥行き方向）への移動を規制する第２規制部材３６とから主に構成されている。
【００３４】
第１規制部材３５は、高さ方向には取付部材２６とほぼ同じ寸法を有し、高さ方向に直交する断面がＬ字状の部材である。第１規制部材３５は、ガス管接続ポート２１の移動を規制する規制部４０が形成された規制面４１と、規制面４１の右方端辺から前方に直交して延設される直交面４２とから主に構成されている。このような第１規制部材３５は、板金加工により形成される。
【００３５】
第１規制部材３５は、規制面４１を第１取付部３１と対向させて、第１取付部３１の前方に配置され、高さ方向数カ所において第１取付部３１に対してネジ止めされる。規制面４１に形成される規制部４０は、規制面４１の左方端辺において、高さ方向に等間隔にガス管接続ポート２１の本数と同じ個数（図４では、５箇所）だけ形成されている。第１規制部材３５を第１取付部３１に取り付けた状態では、各規制部４０は、各第１挿通孔３１ａと重なる位置に形成されている。
【００３６】
図５を用いて、規制部４０の構成について説明を加える。
規制部４０は、規制面４１から前方（第１取付部３１側とは反対側）に隆起して設けられた台状部であり、その天井面４０ａには左方に向けて開放する切り欠き４０ｂが形成されている。切り欠き４０ｂは、円弧状に形成された一部を有し、その径は、ガス管接続ポート２１の環状溝２１ｃにおける径よりも少し大きい。また、天井面４０ａの板厚は、環状溝２１ｃの軸方向幅とほぼ等しい。これにより、ガス管接続ポート２１の前方端部を第１取付部３１の前方に突出させた状態でガス管接続ポート２１の環状溝２１ｃに対して切り欠き４０ｂを嵌め合わせ、ガス管接続ポート２１の軸方向への移動を制限することが可能となる。
【００３７】
なお、天井面４０ａの規制面４１からの高さ、角度を異ならせることにより、ガス管接続ポート２１の位置決め、角度決めを行うことも可能となる。
第２規制部材３６（図４参照）は、高さ方向に並ぶ２つの規制部材（第１の第２規制部材３６ａおよび第２の第２規制部材３６ｂ）から主に構成されている。
各第２規制部材３６は、高さ方向に直交する断面がＬ字状の部材であり、板金加工により形成される。各第２規制部材３６は、液管接続ポート２２の移動を規制する規制部４５，４６が形成された規制面４７，４８と、規制面４７，４８の右方端辺からそれぞれ前方に直交して延設される直交面４９，５０とから主に構成されている。
【００３８】
第１の第２規制部材３６ａには、上方から３つの液管接続ポート２２の軸方向への移動を規制するために、高さ方向３箇所に規制部４５が形成されている。第２の第２規制部材３６ｂには、下方から２つの液管接続ポート２２の軸方向への移動を規制するために、高さ方向２箇所に等間隔に規制部４６が形成されている。
各第２規制部材３６は、各規制面４７，４８を第２取付部３２と対向させて、第２取付部３２前方に配置され、高さ方向数カ所において第２取付部３２に対してネジ止めされる。各第２規制部材３６を第２取付部３２に取り付けた状態では、各規制部４５，４６は、各第２挿通孔３２ａと重なる位置に形成されている。
なお、各規制部４５，４６の構造は、図５を用いて説明した第１規制部材３５の規制部４０の構造と同様であるため、詳細は省略するが、各規制部４５，４６は、そのサイズにおいて規制部４０と異なるだけである。
また、各第２規制部材３６に形成される規制部４５，４６のそれぞれの個数は、各第２規制部材３６が複数の液管接続ポート２２の移動を規制するものであれば、上述の組み合わせに限らない。また、第１の第２規制部材３６ａと第２の第２規制部材３６ｂとは一体であってもよい。
【００３９】
＜効果＞
（１）
取付盤２５では、複数のガス管接続ポート２１を取り付ける第１取付部３１と複数の液管接続ポート２２を取り付ける第２取付部３２とが段差部３３を挟む別平面として形成されている。このため、ガス管接続ポート２１（液管接続ポート２２）へのガス側冷媒連絡配管１７ａ（液側冷媒連絡配管１７ｂ）の取付時に、液管接続ポート２２（ガス管接続ポート２１）が邪魔になることがなく、冷媒配管の接続作業が容易となる。
【００４０】
また、取付盤２５では、幅方向に並ぶ第１取付部３１と第２取付部３２とにそれぞれガス管接続ポート２１と液管接続ポート２２とを取り付ける。このため、ガス管接続ポート２１と液管接続ポート２２とを高さ方向に一列に配列する場合に比して、取付盤２５の高さ方向寸法を短くすることが可能なる。また、第１取付部３１と第２取付部３２とを別平面として形成しているため、ガス管接続ポート２１と液管接続ポート２２との幅方向間隔を短くしても作業性が損なわれない。さらに、取付盤２５では、段差部３３は、凹部３３ａを形成している。よって、第２取付部３２に取り付けられる液管接続ポート２２への液側冷媒連絡配管１７ｂの接続作業時に段差部３３が邪魔になることが無い。具体的には、接続作業に用いられる工具（スパナ、モンキーなど）などと段差部３３との干渉が防止されているため、工具の回転範囲を十分確保することが可能となり、作業性が向上する。
よって、取付盤２５により、室外機２のコンパクト性を維持しつつ、冷媒配管の接続作業を容易にすることが可能となる。
【００４１】
（２）
取付盤２５では、凹部３３ａが円弧状に形成されているため、第２挿通孔３２ａに取り付けられる液管接続ポート２２への冷媒配管の接続作業時に、工具と段差部との干渉が防止でき、作業性が向上する。
【００４２】
（３）
取付盤２５では、複数の第１挿通孔３１ａと複数の第２挿通孔３２ａとが千鳥状に配置されている。このため、ガス管接続ポート２１と液管接続ポート２２とが千鳥状に配置される。よって、冷媒配管の接続作業時に奥側となるガス管接続ポート２１に対するアクセスが容易となり、作業性が向上する。
【００４３】
（４）
取付盤２５では、冷媒配管の接続作業時に液管接続ポート２２は、ガス管接続ポート２１の手前側に位置する。一般的に液管はガス管に比べて小径である。このため、各液管接続ポート２２の高さ方向間隔を広く確保でき、接続作業時に奥側に位置するガス管接続ポート２１に対してアクセスすることが容易となる。
【００４４】
（５）
取付盤２５では、第１取付部３１は、凹部３３ａに対応する形状に加工されており、段差部３３に形成された凹部３３ａと第１取付部３１との隙間を小さくすることができる。このため、室外機２の内部と外部とを連通するような連通口を減らし、小動物の侵入、音漏れを防止することが可能となる。また、段差部３３に形成される凹部３３ａの第１取付部３１側（後方）が開放されているため、凹部３３ａに幅方向に隣接して配置される液管接続ポート２２に対して工具が第１取付部３１側からもアクセスすることが可能となり、作業性が向上する。
【００４５】
（６）
取付盤２５では、第１規制部材３５は、５本のガス管接続ポート２１の軸方向への移動を一括して規制する。また、第２規制部材３６（第１の第２規制部材３６ａ、第２の第２規制部材３６ｂ）は、それぞれ複数の液管接続ポート２２の軸方向への移動を一括して規制する。このため、各接続ポートの軸方向位置あるいは回転角度の調整などを一括して行うことが可能となり、各接続ポート２１，２２毎に独立した規制部材を設け場合に比して、部品点数を削減できるとともに、作業工数を削減でき、各接続ポート２１，２２の取付作業が容易となる。
【００４６】
従来では、各接続ポートは、治具により予め全て同じ角度になるように取付盤に配置され、ロウ付けして組立てられることもある。しかし、冶具にて角度調節を行った各接続ポートは、冶具を取り外す際、または、輸送の際に、その角度が僅かにずれることがある。
しかし、本発明では、各規制部材３５，３６ａ，３６ｂを取り付けた状態で輸送などができるため、接続ポートの軸方向位置、回転角度の調整を維持することができ、施工時においても作業工数を削減することが可能となる。
【００４７】
（７）
各規制部材３５，３６ａ，３６ｂには、各接続ポート２１，２２の環状溝に嵌り込む規制部４０，４５，４６が形成されており、各規制部材３５，３６ａ，３６ｂは、各接続ポート２１，２２の軸方向への移動を規制する。このような規制部４０，４５，４６は、各接続ポート２１，２２を支持することもできるため、例えば、予め各接続ポート２１，２２を規制部材３５，３６ａ，３６ｂに対して位置決めした後、取付部材２６に対して一括して取り付けることなども可能となる。
【００４８】
（８）
各規制部材３５，３６ａ，３６ｂは、高さ方向に直交する断面がＬ字形状に形成されているため、平面状の規制部材に比して、取り扱いが容易になる。
（９）
室外機２は、取付盤２５を備えるため、上記と同様の効果を得ることが可能となる。すなわち、室外機２のコンパクト性を維持しつつ、冷媒配管の接続作業を容易にすることが可能となる。また、取付盤２５に対する各接続ポート２１，２２の取付作業を容易にすることが可能となる。
【００４９】
＜その他＞
（１）
上記実施形態では、取付盤２５に取り付けられる接続ポート２１，２２の本数をそれぞれ５本としたが、本発明は、この場合に限定されるものではない。室外機２に接続される室内機３の台数に応じて、各接続ポート２１，２２の本数は異なっていてもよい。例えば、取付盤２５に対して２〜４本の各接続ポート２１，２２が取り付けられる場合には、第１挿通孔３１ａおよび第２挿通孔３２ａは、取り付けられる各接続ポート２１，２２の本数に応じた数だけ形成される。
（２）
第２取付部３２には、凹部３３ａの第２取付部３２側（前方）を閉鎖するように凹部３３ａに対応する凸部が形成されていてもよい。このような凸部は、図４に示すような第２取付部３２と凹部３３ａとの幅方向隙間を閉鎖できるようなものであればよく、例えば、凹部３３ａの前方を覆うように第２規制部材３６を配置してもよい。これにより、室外機２の内部と外部とを連通するような連通口を減らし、小動物の侵入、音漏れを防止することが可能となる。
【００５０】
（３）
取付盤２５では、段差部３３は、円弧状の凹部３３ａを形成していると説明した。ここで、凹部３３ａは円弧状に限らず、平面で構成されていてもよい。また、段差部３３は、高さ方向に連続しておらず、凹部３３ａが形成される位置に、段差部３３の板厚方向に貫通する開口が形成されていてもよい。この場合にも、第２取付部３２に取り付けられる液管接続ポート２２への液側冷媒連絡配管１７ｂの接続作業時に段差部３３が邪魔になることが無い。
【産業上の利用可能性】
【００５１】
本発明は、取付盤に対する接続ポートの取付作業を容易にする接続ポートの取付盤およびその取付盤を備える室外機として有用である。
【図面の簡単な説明】
【００５２】
【図１】室外機を含む空気調和機の冷媒回路図
【図２】室外機の外観図
【図３】ガス管接続ポートおよび液管接続ポートの外観図
【図４】取付盤の平面図
【図５】規制部の外観図
【符号の説明】
【００５３】
１    空気調和機
２    室外機
３    室内機
１７ａ  ガス側冷媒連絡配管
１７ｂ  液側冷媒連絡配管
２１    ガス管接続ポート
２２    液管接続ポート
２５    取付盤
２６    取付部材
２７    規制部材
３１    第１取付部
３１ａ  第１挿通孔
３２    第２取付部
３２ａ  第２挿通孔
３３    段差部
３３ａ  凹部
【図１】
2007271236.tif 000003
【図２】
2007271236.tif 000004
【図３】
2007271236.tif 000005
【図４】
2007271236.tif 000006
【図５】
2007271236.tif 000007